(57)【要約】      （修正有）【課題】海水中に浮遊しているコンブ目の海藻の遊走子或いはホンダワラ類等の遊走子を着床させて増殖するのに適した柱状体を提供する。【解決手段】海水中を浮遊する海藻の遊走子を着床させて増殖させるための柱状体Ｃ、Ｄであって、外周面に形成された長手方向の突起２又は周方向の溝５を有する。外周面に形成された長手方向の突起２又は周方向の溝５は夫々複数ある。柱状体Ｃ、Ｄは、鉄筋コンクリートからなり、長手方向の一方の端部６に露出させた鉄筋７又は鉄骨を有するか、又は予め設定された太さの柱状突起８を有している。【選択図】図３
2019195275.tif 000002
【特許請求の範囲】
【請求項１】
海水中を浮遊する海藻の胞子・幼胚を着床させて増殖させるための柱状体であって、
外周面に形成された長手方向の突起又は周方向の溝を有することを特徴とする柱状体。
【請求項２】
前記外周面に形成された長手方向の突起又は周方向の溝は夫々複数あることを特徴とする請求項１に記載した柱状体。
【請求項３】
鉄筋コンクリートからなり、長手方向の一方の端部に露出させた鉄筋又は鉄骨を有するか、又は予め設定された太さの柱状突起を有していることを特徴とする請求項１又は２に記載した柱状体。
【発明の詳細な説明】
【技術分野】
【０００１】
本発明は、海水中を浮遊する海藻の胞子や幼胚を着床させて増殖させるための柱状体に関し、特に、藻礁を構成する際に利用し得るようにした柱状体に関するものである。
【背景技術】
【０００２】
海水中には各種海藻の胞子や幼胚が浮遊しており、浮遊する過程で岩礁や海底に着床して繁殖する。このような自然繁殖では安定した増殖を期待し得ないため、海中に藻礁を設置して胞子や幼胚の着床をはかることが行われている。このようにして海藻を増殖させることによって、増殖した海藻の採集のみならず、ウニ類やサザエ、アワビ類などの増殖をはかること、漁場機能の回復や保全をはかること、などを実現することができる。
【０００３】
海中に設置されて海藻を増殖させるための藻礁として、種々の形状や構造を有するものが提案されている。例えば、特許文献１に記載された技術は、人工礁ユニットと、この人工礁ユニットを基台に起立させて構成した藻礁に関するものである。この人工礁ユニットは、複数の木材の長手方向の両端部を夫々固定板によって固定すると共に、複数の木材の長手方向の中央部を中間結束具によって束ねたものである。特に、人工礁ユニットを構成する木材として間伐材を用いることで、間伐材の有効利用をはかることができる。
【０００４】
また、藻礁は、コンクリートによって構成された基台と、該基台に下端部を埋設された複数のコンクリート製柱体と、このコンクリート製柱体に着脱可能に構成され複数の木材を結束したユニットと、を有して構成されている。この人工礁では、海中に設置されたとき、柱体及び基台の表面に海藻の胞子が付着し、これらが成長して増殖する。そして、基台から起立した柱体に付着した海藻が増殖することで、海中林を構成することが可能となる。ユニットがコンクリート製柱体に着脱可能に構成されているため、該ユニットが消耗したとき、新規なユニットと容易に交換し得るため有利である。
【先行技術文献】
【特許文献】
【０００５】
【特許文献１】特開２０１３−０４２７０５号公報
【発明の概要】
【発明が解決しようとする課題】
【０００６】
最近では、コンブ目の海藻やホンダワラ類等を特定して増殖するという要求がなされている。しかし、特許文献１記載された技術では、人工礁ユニットが複数の木材を円周上に並べて両端部を固体板によって固定すると共に中央部を中間結束具によって結束した柱体として構成されているため、人工礁ユニットの外面は木材の表面肌によって規定されることとなり、必ずしも特定の海藻を着床させることができない虞がある。
【０００７】
本発明の目的は、海水中に浮遊しているコンブ目の海藻の胞子或いはホンダワラ類の幼胚など海藻類の胞子や幼胚を着床させて増殖するのに適した柱状体を提供することにある。
【課題を解決するための手段】
【０００８】
本件発明者等は藻礁の開発を行ってきた過程で、コンブ目の海藻の遊走子は略垂直な面に着床しやすく、ホンダワラ類の幼胚は略水平な面に着床しやすいとの知見を得た。このため、上記課題を解決するための本発明に係る柱状体は、海水中を浮遊する海藻の胞子や幼胚を着床させて増殖させるための柱状体であって、外周面に形成された長手方向の突起又は周方向の溝を有するものである。
【０００９】
上記柱状体に於いて、前記外周面に形成された長手方向の突起又は周方向の溝は夫々複数あることが好ましい。
【００１０】
また、上記何れかの柱状体に於いて、鉄筋コンクリートからなり、長手方向の一方の端部に露出させた鉄筋又は鉄骨を有するか、又は予め設定された太さの柱状突起を有していることが好ましい。
【発明の効果】
【００１１】
本発明に係る柱状体は、外周面に形成された長手方向の突起又は周方向の溝を有するため、長手方向の突起にコンブ目の海藻の遊走子を着床させて増殖することができ、又は周方向の溝の側面にホンダワラ類の幼胚を着床させて増殖することができる。
【００１２】
また、外周面の長手方向に複数の突起又は周方向に複数の溝を形成した場合には、夫々の突起又は溝の側面に胞子や幼胚が着床することができるため、外周面を全面にわたって活用することができる。
【００１３】
また、柱状体を、鉄筋コンクリートによって製造すると共に、長手方向の一方の端部に露出させた鉄筋又は鉄骨を有するか、又は予め設定された太さの柱状突起を有して構成することによって、この柱状体を藻礁を構成する部品として取り扱うことができる。
【００１４】
即ち、コンクリート製の基台を製造する際に、該基台の鉄筋と予め製造した柱状体の鉄筋又は鉄骨を締結してコンクリートを打設することで藻礁を製造することができる。また、予め基台に凹状の溝を形成しておき、この溝に柱状体の柱状突起を嵌合してコンクリートを打設することで、コンクリート製の藻礁を製造することができる。
【図面の簡単な説明】
【００１５】
【図１】第１実施例に係る柱状体を説明する図である。
【図２】第２実施例に係る柱状体を説明する図である。
【図３】柱状体の他の例を説明する図である。
【発明を実施するための形態】
【００１６】
以下、本発明に係る柱状体について説明する。本発明に係る柱状体は、海水中を浮遊する胞子や幼胚を着床させると共に、着床した胞子や幼胚の増殖をはかることを可能としたものである。このため、柱状体の外周面には長手方向に突起又は周方向に溝が形成されている。
【００１７】
柱状体に形成された長手方向の突起又は周方向の溝によって、表面は凹凸状に変化した面となり、海水が柱状体に衝突したとき、突起や溝に沿って流れに変化が生じる。このため、海水中を浮遊している胞子や幼胚が柱状体に形成された突起や溝に衝突する機会が増加して着床しやすくなる。特に、突起に衝突した海水が突起に沿って渦流となると、より着床の機会が増えることとなり、着床しやすくなる。
【００１８】
本発明に係る柱状体を海水中に起立させて設置することによって、長手方向に形成された突起は略垂直な面を構成するため、主として垂直面に着床して増殖するコンブ目の海藻の遊走子が着床して増殖することが可能となる。また、周方向に形成された溝は、該溝の側面が略水平な面を構成するため、主としてホンダワラ類の幼胚が着床して増殖することが可能となる。
【００１９】
本発明に於いて、柱状体には増殖させようとする海藻に対応させて、長手方向の突起或いは周方向の溝の何れか一方が形成されていれば良い。しかし、コンブ目の海藻の遊走子、ホンダワラ類の幼胚の両方を着床させて増殖しようとする場合には、長手方向の突起と周方向の溝の両方が形成されていることが好ましい。
【００２０】
本発明に係る柱状体は形状を限定するものではなく、太さと比較して長さが大きい所謂柱状に形成されたものであれば良い。太さは胞子や幼胚が着床して増殖したときの繁茂した状態を考慮すると３００ｍｍ前後であることが好ましい。また、長さは海中に設置する場所の深さに対応させて設定することが必要であり、目的の海藻に対応させて０．５ｍ〜４ｍ程度であることが好ましい。
【００２１】
柱状体に形成する長手方向の突起又は周方向の溝の数は限定するものではなく、１本であって良く、複数であっても良い。
【００２２】
また、柱状体の長手方向に形成される突起の高さ寸法は限定するものではなく、幅寸法は形成する数に応じて設定される。特に、隣り合う突起の間に形成されるくぼみの形状は滑らかな曲線状であることが好ましく、このような形状を有することで、海中に設置したとき、衝突した海水の流れ方向を円滑に変更させることが可能となる。例えば、柱状体の外径を略３００ｍｍとしたとき、くぼみの深さは略２０ｍｍ程度であることが好ましい。
【００２３】
柱状体の周方向に形成される溝の深さ寸法や幅寸法も限定するものではなく、ホンダワラ類の幼胚が着床しやすく、着床した後容易に成長し得るような寸法であることが好ましい。溝の底面と側面とのなす角度は鈍角であることが好ましい。このような溝では、柱状体を海中に略垂直に設置したとき、溝の側面はゆるい傾斜を有する略水平な面となり、海中を浮遊するホンダワラ類の幼胚が着床しやすくなる。このような溝としては、深さが略２０ｍｍで底面に於ける幅寸法が略５０ｍｍ、柱状体の外径部分に於ける幅寸法が略６０ｍｍであることが好ましい。
【００２４】
柱状体を構成する材料は特に限定するものではないが、表面に形成する長手方向の突起や周方向の溝の成形のしやすさを考慮するとコンクリート製であることが好ましい。柱状体をコンクリート製とした場合、柱状体に配置した鉄筋或いは鉄骨の一部を柱状体の長手方向の一方の端部（下端面）から露出させておくことが好ましい。
【００２５】
上記の如く、柱状体の下端面から鉄筋或いは鉄骨を露出させておくことで、該柱状体を構成要素とする藻礁を製造する際に構成部品として取り扱うことが可能である。即ち、藻礁を製造する際に、基台の型枠に配置された鉄筋或いは鉄骨に柱状体の下端面から露出した鉄筋或いは鉄骨を連結した後、型枠にコンクリートを打設することで、柱状体を要素とする藻礁を製造することが可能である。
【００２６】
柱状体の下端面には柱状突起を形成しても良い。このような柱状突起を形成した場合には、予め基台に柱状突起をはめ込むことが可能な穴を形成しておき、この穴に柱状突起をはめ込むことで基台に柱状体を起立させた後、前記穴にコンクリートを打設して柱状体を基台に一体化させて藻礁を製造することが可能である。
【００２７】
上記の如く、柱状体の下端面から鉄筋類は鉄骨を露出させ、或いは柱状突起を形成しておくことで、藻礁を製造する際に柱状体を部品の一つとして構成することが可能となり、柱状体を要素とする藻礁の製造工程の合理化をはかることが可能となる、特に、柱状体を要素とする藻礁を一体的な型枠で製造するには、型枠の大型化を招くこととなり、工程の複雑化を避けることができないが、柱状体を基台とは異なる部品として製造することで、工程の単純化や、基台の形状な寸法の多様化などに対応することが可能となる。
【００２８】
次に、本発明に係る柱状対の好ましい実施例について図を用いて説明する、図１に示す柱状体Ａは、全長が略２０００ｍｍに設定されている。そして、外周面１の長手方向に３本の突起２が形成されており、各突起２の間にくぼみ３が形成されている。従って、突起２の表面は柱状体Ａの外周面１そのままである。また、くぼみ３は凹状の曲面として形成されている。柱状体Ａの外径（突起２の外接円の径）は略３００ｍｍに設定されており、くぼみ３の内接円の径は略２６０ｍｍに設定されている。従って、各くぼみ３の深さは略２０ｍｍに設定されている。
【００２９】
また、柱状体Ａの外周面には周方向に２本の溝５が略１０００ｍｍの間隔をおいて形成されている。各溝５は深さが略２０ｍｍに設定されており、底面５ａとくぼみ３の最も深い位置が共通に形成されている。また、溝５の底面５ａの幅寸法は略５０ｍｍに設定されており、該溝５の側面５ｂが柱状体Ａの外周面１に開口する部位の幅寸法は略６０ｍｍに設定されている。
【００３０】
上記の如く構成された柱状体Ａでは、海中の比較的深い位置に略垂直に設置したとき、突起２、くぼみ３が略垂直な面となり、溝５の側面５ｂが略水平な面となる。そして、柱状体Ａに流れる海水が衝突したとき、海水は突起２、くぼみ３の表面に沿って流れることとなり、海水が柱状体Ａの突起２、くぼみ３の面に接触している時間を長くすることが可能となる。このため、海水中に浮遊しているコンブ目の海藻の遊走子が柱状体Ａの突起２、くぼみ３に着床する機会を増やすことが可能となる。
【００３１】
また、柱状体Ａに衝突した海水の一部が直接、くぼみ３に流れこんだ海水の一部が溝５の底面５ａの周囲に沿って流れ、このとき側面５ｂの表面にも接触する。このため、溝５に流れ込んだ海水中を浮遊するホンダワラ類等の幼胚が側面５ｂに着床する機会が増えることとなる。
【００３２】
尚、柱状体Ａの外周面１に周方向の溝５のみを形成する場合、図に示すように２本のみを形成することに限定するものではなく、適度な間隔（例えば略４００ｍｍ）を設けて３本、４本形成しても良い。
【００３３】
図２に示す柱状体Ｂは、全長が略５００ｍｍに設定されており、外径が略３００ｍｍに設定されている。このように、太さと長さの比率が大きいものではないが、略円柱状に形成されているため、本発明では柱状体としての範囲に含めるものである。
【００３４】
柱状体Ｂの外周面には、長手方向に１２本の突起２が形成されており、隣り合う突起２の間に曲面状の表面を持ったくぼみ３が形成されている。また、外周面１の所定位置（上端部から略１００ｍｍの位置）には溝５が１本形成されている。
【００３５】
上記の如く構成された柱状体Ｂでは、海中の比較的浅い位置に略垂直に設置したとき、突起２、くぼみ３が略垂直な面となり、溝５の側面５ｂが略水平な面となる。そして、柱状体Ａに流れる海水が衝突したとき、突起２、くぼみ３が多く形成されているため、海水の流れが複雑に変化して突起２、くぼみ３に対する接触時間が長くなる。このため、コンブ目の海藻の遊走子が着床する機会をより増やすことが可能となる。
【００３６】
次に図３に示す柱状体Ｃ、Ｄ、Ｅについて説明する。尚、図に於いて、前述の実施例と同一部分又は同一の機能を有する部分には同一の符号を付して説明を省略する。
【００３７】
図３（ａ）に示す柱状体Ｃは鉄筋コンクリート製であり、下端面６から鉄骨７を露出させたものである。鉄骨７の断面形状やサイズは限定するものではなく、柱状体Ｃの長さや太さ、図示しない基台の仕様、等の条件に対応させて、Ｈ形鋼や溝形鋼等を適宜選択して設定することが好ましい。尚、本実施例では、鉄骨７としてＨ形鋼を用いている。
【００３８】
同図（ｂ）に示す柱状体Ｄは鉄筋コンクリート製であり、下端面６から鉄筋籠８を露出させたものである。鉄筋籠８の寸法や縦筋の本数及び太さ等の仕様は限定するものではなく、柱状体Ｄの長さや太さ、図示しない基台の仕様等の条件に対応させて適宜設定することが好ましい。
【００３９】
同図（ｃ）に示す柱状体Ｅはコンクリート製であり、下端面６に柱状突起９を形成したものである。柱状突起９の太さや長さは限定するものではなく、柱状体Ｅの長さや太さ、図示しない基台の仕様等の条件に対応させて適宜設定することが好ましい。
【００４０】
上記の如く構成された柱状体Ｃ〜Ｅは、藻礁を製造する際の構成部品としての機能を有しており、基台を製造する型枠に配置された鉄筋に組み付けて、或いは予め基台に形成された穴にはめ込んで、該型枠にコンクリートを打設することで、柱状体を構成要素とした藻礁を製造することが可能である。
【産業上の利用可能性】
【００４１】
本発明に係る柱状体は、略垂直な面に着床して増殖するコンブ目の海藻や、略水平面に着床して増殖するホンダワラ類に、選択的に或いは両方に利用して有利である。特に、柱状体が藻礁の構成要素である場合、独立した構成部品として認識することで、基台の形状に関わらず適用することが可能となり有利である。
【符号の説明】
【００４２】
Ａ〜Ｄ        柱状体
１            外周面
２            突起
３            くぼみ
５            溝
５ａ          底面
５ｂ          側面
６            下端面
７            鉄筋籠
８            柱状突起
【図１】
2019195275.tif 000003
【図２】
2019195275.tif 000004
【図３】
2019195275.tif 000005